(57)【要約】      （修正有）【課題】棚上に陳列した手前側の商品を取り去った時、その後ろにある商品が手前側に順次滑り出して整列し、買い物客が棚の奥にある商品を見つけ易くした店舗商品陳列棚を提供する。【解決手段】低い摩擦係数で滑り易い特徴を有する単層の高摺動性高密度ポリエチレン樹脂板１、あるいは低廉な汎用ないし再生ポリエチレン樹脂板を基材とし、その上に高摺動性高密度ポリエチレン樹脂板の表面に凹凸シボ２付けした板を貼り合わせた２層板を表面材として取り付け、適度に傾斜させたことを特徴とする。【選択図】図２
0003196983.tif 000002
【実用新案登録請求の範囲】
【請求項１】
本考案は低い摩擦係数で滑り易い特徴を有する高摺動性高密度ポリエチレン樹脂板の表面をさらに滑り易くするために当該板の上側表面に凹凸シボ付けし、表面材として取り付けた棚上に陳列した手前側の商品を取り去った時、その後ろにある商品が手前側に順次、滑り出して整列するように適度に傾斜させた店舗商品陳列棚。
【請求項２】
低廉な汎用ないし再生ポリエチレン樹脂板を基材とし、その上に表面が凹凸シボ付きの高摺動性高密度ポリエチレン樹脂板を積層した２層板を棚上に表面材として取り付けて適度に傾斜させた請求項第１記載の店舗商品陳列棚。
【考案の詳細な説明】
【技術分野】
【０００１】本考案は低い摩擦係数で滑り易い特徴を有する高摺動性樹脂板の表面をさらに滑り易くするために、当該板の上側表面に凹凸シボ付けし、表面材として取り付けた棚上に陳列した手前側の商品を取り去った時、その後ろにある商品が手前側に順次、滑り出して整列するように適度に傾斜させた店舗商品陳列棚に関する。
【背景技術】
【０００２】現状、コンビニエンスストア（以下、「コンビニ」という）やスーパーマーケット以下、「スーパー」という）の店舗において商品を陳列する棚は一般に、平面状態になっている。近年、コンビニにおいてＰＥＴボトル入り飲料（お茶・ミネラルウォーター・ジュース等）や缶入り飲料（コーヒー・酒類等）を陳列する業務用冷蔵庫の底部はローラーが付いており、手前側のＰＥＴボトル・缶入り飲料を取り去るとその後ろにある同様の商品が手前側に順次、滑り出して整列するローラー付き傾斜棚が徐々に増え始めている。しかし、コンビニにおけるＰＥＴボトル・缶入り飲料以外の商品はすべて平面状態の陳列棚に置かれており、スーパーに至っては、ほとんどの商品が平面の棚に陳列されている。
【考案の概要】
【０００３】
【考案が解決しようとする課題】
【０００４】考案の課題は、第一に、コンビニにおけるＰＥＴボトル・缶入り飲料以外の商品、例えば、袋入りパン、カップラーメン、パック入り惣菜等は５〜８段の棚上に陳列されているが、商品が棚の手前側から売れて行き、奥の商品ほど売れ残り易い問題がある。また、買物客によっては日付の新しい奥の商品から取り出すこともあり、陳列商品は雑然と成りがちである。
しかし、コンビニにおいて買物客は立って買物をしているため、特に、最下段の棚の奥に置かれている商品はその上の棚の陰に隠れて死角になって見づらい状態になり、結果として売れ残ってしまう傾向にある。
第二に、一般に、商品が売れて棚の手前側が空き傾向となり、陳列がランダムに雑然となるが、奥に商品が残っている場合、気が付いた店員は日付の古い商品が手前側に整列するように「ならし」といわれる商品の整列・並び替え等の手作業を一日に何度もやっており、それには手作業の手間と経費がかかっている。しかも、忙しい店員のやる作業であるため、店員の少ない夜間等は特に、完全に実施することは難しく、「ならし」作業の漏れが生じる。
第三に、現状、コンビニにおいて業務用冷蔵庫の底面ローラー付き傾斜棚の製作または改造の費用が高い上に定期的なメンテナンスを行わないとローラーが回転しにくくなるため、多額の定期的メンテナンス維持費がかかるという課題がある。これがスベル傾斜棚が普及しにくい要因となっている。
【課題を解決するための手段】
【０００５】この課題を解決するため、第一に、本考案は板の原料としてスベリ性がフッ素樹脂と同等レベルの低い摩擦係数を有する高摺動性高密度ポリエチレン樹脂を使用し、さらに、板表面を滑り易くするために、板製造時、当該板の上側片面をエンボス加工して凹凸シボを形成させる。また、同板のコストダウンのために、下側片面は低廉な汎用ないし再生ポリエチレン樹脂板を基材として、上側片面は前記高摺動性高密度ポリエチレン樹脂板より成る２層板を同時・共押出成形（２色成形）し、上側片面板の表面に凹凸シボ付けする。当該板の凹凸シボ面上にシリコーンオイルを塗布するとさらに滑りがより良くなる。
第二に、本考案によるスベリ性の優れた板（以下、「スベリ板」という）を店舗における陳列棚の上に取り付け、棚の手前側の商品を取り去った時、その後ろにある商品が手前側に順次、滑り出して整列するようにブラケットと呼ばれる陳列棚受け台を適度に傾斜させて陳列棚の両端に開いた穴に挿入して傾斜棚を固定させる。【０００６】実験を行った結果、本考案のスベリ板付き傾斜棚において商品が滑り出す最低傾斜角度は約１５度であることが判明した。すなわち、スベリ板を取り付けていない従来陳列棚は１５度、傾斜しても陳列商品は滑り出さないが、当該スベリ板を取り付けた陳列棚を１５度、傾斜すると一部の商品、例えば、自己粘着性のあるラップ包装食品やスベリ性の悪いニス引き板紙カートン入り飲料（ジュース・牛乳等）を除くほとんどの陳列商品が棚上に取り付けたスベリ板の上を滑り出す。ツヤのある樹脂コート板紙カートン入り商品（袋入り粉スープ等）も当該スベリ板の上をスムーズに滑る。傾斜角度１５度にしたスベリ板取り付け（有り・無し）の場合の傾斜棚の上を各商品が滑るか否かの実験結果は下記の通りです。
表の中で、○：滑る、×：滑らない、と表示します。
0003196983.tif 000003
【考案の効果】
【０００７】本考案による第一の効果は、当該スベリ板付き傾斜棚の上に陳列された商品を手前側から取り去っても、その後ろにある商品が手前側に順次、滑って整列するために、いつもどの棚の商品も整然と並んでおり、買物客が立ったまま商品を探しても最下段の奥にある商品も見つけ易いため、上の棚による商品の死角ができにくく、商品の売れ残りのリスクが低減でき、店舗での売り上げの増加につながる。同時に、スベリ板に使用する当該高摺動性高密度ポリエチレン樹脂板はスベリ性が優れているだけでなく、ポリアセタール樹脂やナイロン等よりも総合的な耐摩耗性が優れているために耐久性があり、消音特性に優れている。
第二の効果は、従来の陳列棚を改造することなく、当該スベリ板を棚上に取り付けて適度な角度に傾斜するだけの簡単な作業でスベル傾斜棚を作ることができるため、大きな費用がかからず、その後のメンテナンスもほとんど不要であるという経費上の利点がある。そのためコンビニやスーパー等が本考案によるスベリ板付き傾斜棚を採用し易くなり、結果として、消費者が店頭に整然と並んだ商品を便利に買物することができる。
【図面の簡単な説明】
【０００８】
【図１】  高摺動性高密度ポリエチレン樹脂製凹凸シボ付き板の断面図
【図２】  店舗における商品陳列傾斜棚の断面図
【考案を実施するための形態】
【０００９】
【実施例】
【００１０】本考案によるスベリ板は、高摺動性高密度ポリエチレン樹脂を０．２〜２ｍｍ厚×９００〜１，２００ｍｍ幅に押出加工し、押出機よりＴダイを通して板状に押出成形された直後、エンボスロールとゴムロールの間でピンチしながら表面エンボス加工し、冷却ロールで板を冷却して固化しながら引取機で板を引取った後、切断機により適度な長さにインラインカットする。さらにその後、同板は棚にスムーズに取り付けられるように、別工程で断裁機にて棚サイズより約１０ｍｍ程度、短く小切り断裁する。当該板のサイズは陳列棚の種類によって異なるが、手前長さ（ｍｍ）：１９０〜６９０×幅（ｍｍ）：９００ｍｍ等である。図１の１は陳列商品が滑り易い高摺動性高密度ポリエチレン樹脂板の断面図、図１の２は当該樹脂板の表面をエンボス加工した凹凸シボ付け面の断面図を示し、図２の３は店舗における商品陳列傾斜棚の断面図を示す。図２の４はブラケットと呼ばれる陳列棚受け台の断面図である。【００１１】
【産業上の利用可能性】
【００１２】本考案による店舗におけるスベル商品陳列傾斜棚は、コンビニにおけるＰＥＴボトル・缶入り飲料等を陳列している業務用冷蔵庫内の棚はもちろんのこと、袋入りパン、カップラーメン、パック入り惣菜等を陳列した傾斜棚として利用可能である。また、スーパー、百貨店、小売店等、莫大な市場規模の店舗における商品陳列傾斜棚として利用できる。【００１３】
【符合の説明】
【００１４】１    高摺動性高密度ポリエチレン樹脂製板
２    板表面凹凸シボ
３    商品陳列傾斜棚
４    ブラケット（陳列棚受け台）
５    地面
【図１】
0003196983.tif 000004
【図２】
0003196983.tif 000005
【手続補正書】
【提出日】平成26年11月18日(2014.11.18)
【手続補正１】
【補正対象書類名】実用新案登録請求の範囲
【補正対象項目名】全文
【補正方法】変更
【補正の内容】
【実用新案登録請求の範囲】
【請求項１】
本考案は低い摩擦係数で滑り易い特徴を有する高摺動性高密度ポリエチレン樹脂板の表面をさらに滑り易くするために当該板の上側表面に規則的に配列された山形状および編み込まれた布目状等、各種形状の凹凸シボ付けし、表面材として取り付けた棚上に陳列した手前側の商品を取り去った時、その後ろにある商品が手前側に順次、滑り出して整列するように適度に、すなわち、１１度以上、好ましくは、約１５度から約３０度の範囲で傾斜させた店舗商品陳列棚。
【請求項２】
低廉な汎用ないし再生ポリエチレン樹脂板を基材とし、その上に表面が規則的に配列された山形状および編み込まれた布目状等、各種形状の凹凸シボ付きの高摺動性高密度ポリエチレン樹脂板を積層した２層板を棚上に表面材として取り付けて適度に、すなわち、１１度以上、好ましくは、約１５度から約３０度の範囲で傾斜させた店舗商品陳列棚。
【手続補正書】
【提出日】平成27年2月3日(2015.2.3)
【手続補正１】
【補正対象書類名】実用新案登録請求の範囲
【補正対象項目名】全文
【補正方法】変更
【補正の内容】
【実用新案登録請求の範囲】
【請求項１】
低い摩擦係数で滑り易い特徴を有する高摺動性高密度ポリエチレン樹脂板の表面をさらに滑り易くするために当該板の上側表面に規則的に配列された山形状および編み込まれた布目状等、各種形状の凹凸シボ付けし、表面材として取り付けた棚上に陳列した手前側の商品を取り去った時、その後ろにある商品が手前側に順次、滑り出して整列するように適度に、すなわち、１１度から３０度の範囲で傾斜させた店舗商品陳列棚。
【請求項２】
低廉な汎用ないし再生ポリエチレン樹脂板を基材とし、その上に表面が規則的に配列された山形状および編み込まれた布目状等、各種形状の凹凸シボ付きの高摺動性高密度ポリエチレン樹脂板を積層した２層板を棚上に表面材として取り付けて適度に、すなわち、１１度から３０度の範囲で傾斜させた店舗商品陳列棚。